(57)【要約】【課題】プリント基板の実装の自由度を確保しつつ、小型化が図れるパネル計器を実現することを目的にする。【解決手段】本発明は、ケースと、前面と腕部により略コ字形に形成され、ケースに挿入されると共に、裏面に略柱状の保持部材が少なくとも一つ形成される前面カバーと、この前面カバーの裏面に取り付けられ、保持部材が貫通する貫通穴を有するメイン基板と、前面カバーの腕部と保持部材とにより保持される第１のプリント基板とを備えたことを特徴とするものである。【選択図】図２
2010147297.tif 000002
【特許請求の範囲】
【請求項１】
ケースと、
前面と腕部により略コ字形に形成され、前記ケースに挿入されると共に、裏面に略柱状の保持部材が少なくとも一つ形成される前面カバーと、
この前面カバーの裏面に取り付けられ、前記保持部材が貫通する貫通穴を有するメイン基板と、
前記前面カバーの腕部と保持部材とにより保持される第１のプリント基板と
を備えたことを特徴とする計器。
【請求項２】
前記保持部材は、前記第１のプリント基板が挿入される溝部が形成されることを特徴とする請求項１記載の計器。
【請求項３】
前記前面カバーの腕部は、
前記第１のプリント基板が挿入される溝部が形成されることを特徴とする請求項１または２記載の計器。
【請求項４】
前記第１のプリント基板は、前記前面カバーの腕部間の約半分の幅であることを特徴とする請求項１〜３のいずれかに記載の計器。
【請求項５】
前記前面カバーの腕部により保持される第２のプリント基板を設けたことを特徴とする請求項１〜４のいずれかに記載の計器。
【発明の詳細な説明】
【技術分野】
【０００１】
本発明は、温度調節計や温度指示計等のパネルに取り付け可能な計器に関し、プリント基板の実装の自由度を確保しつつ、小型化が図れる計器に関するものである。
【背景技術】
【０００２】
パネルに取り付け可能な計器、例えば、温度調節計等は、前面に表示部やスイッチ等が設けられ、後面に圧着端子が取り付けられる端子が設けられている。そして、計器の前面の表示部やスイッチ等のメイン基板にプリント基板を垂直に電気的に接続している。そして、このプリント基板が、幅が半分の大きさのプリント基板が取り付けられるようになってきた。このような装置は、例えば、下記特許文献１等に示されている。
【０００３】
【特許文献１】特開２００４−１２８１３７号公報
【発明の開示】
【発明が解決しようとする課題】
【０００４】
このように、幅が半分の大きさのプリント基板を取り替えることにより、各種用途に計器を利用可能にしている。一方、近年、カーボンフットプリントの削減要求により、計器の小型化も要求されている。
【０００５】
しかし、特許文献１に示される装置では、メイン基板の中央部を横切って設けられる基板保持具により、幅が半分の大きさのプリント基板の実装面積が小さくなり、小型化の阻害要因となっていた。一方、通常の大きさのプリント基板を用いれば、実装面積は確保できるが、各種用途のプリント基板を通常の大きさで用意しなければならず、プリント基板を取り替えて自由に実装できないという問題点があった。
【０００６】
そこで、本発明の目的は、プリント基板の実装の自由度を確保しつつ、小型化が図れるパネル計器を実現することにある。
【課題を解決するための手段】
【０００７】
このような課題を達成するために、本発明のうち請求項１記載の発明は、
ケースと、
前面と腕部により略コ字形に形成され、前記ケースに挿入されると共に、裏面に略柱状の保持部材が少なくとも一つ形成される前面カバーと、
この前面カバーの裏面に取り付けられ、前記保持部材が貫通する貫通穴を有するメイン基板と、
前記前面カバーの腕部と保持部材とにより保持される第１のプリント基板と
を備えたことを特徴とするものである。
請求項２記載の発明は、請求項１記載の発明であって、
前記保持部材は、前記第１のプリント基板が挿入される溝部が形成されることを特徴とするものである。
請求項３記載の発明は、請求項１または２記載の発明であって、
前記前面カバーの腕部は、
前記第１のプリント基板が挿入される溝部が形成されることを特徴とするものである。
請求項４記載の発明は、請求項１〜３のいずれかに記載の発明であって、
前記第１のプリント基板は、前記前面カバーの腕部間の約半分の幅であることを特徴とするものである。
請求項５記載の発明は、請求項１〜４のいずれかに記載の発明であって、
前記前面カバーの腕部により保持される第２のプリント基板を設けたことを特徴とするものである。
【発明の効果】
【０００８】
本発明によれば、メイン基板の貫通穴を貫通する保持部材が、第１のプリント基板を保持するので、保持部材がメイン基板への取り付けスペースを必要とせず、第１のプリント基板の実装の自由度を確保しつつ、小型化が図れる。
【０００９】
また、請求項５によれば、必要箇書にだけ、保持部材を設けられるので、第２のプリント基板を搭載することができ、プリント基板の自由度を得ることができる。
【発明を実施するための最良の形態】
【００１０】
以下本発明を、図面を用いて詳細に説明する。図１，２は本発明の一実施例を示した構成図で、図１は組立完成図、図２はケース１を取り外した構成図である。図１の（ａ）は正面図、（ｂ）は側面図である。図２の（ａ）は正面図、（ｂ）は側面図、（ｃ）は背面図、（ｄ）は上面図である。
【００１１】
図１，２において、ケース１は、四角い箱状に形成され、後面に複数の圧着端子が取り付けられる。前面カバー２は、表示部２１やスイッチ等の操作部２２が設けられる前面と腕部２３，２４により略コ字形に形成され、ケース１に挿入されると共に、裏面に略柱状の保持部材２５が腕部２３，２４間のほぼ中心位置に３つ形成される。腕部２３は、板状に形成され、複数の溝部２３１を有する。腕部２４は、板状に形成され、溝部２３１に対向する位置に、複数の溝部２４１を有する。メイン基板３は、前面カバー２の裏面に取り付けられる。プリント基板４は、腕部２３，２４間の約半分の幅で構成される。そして、プリント基板４は、腕部２３の溝部２３１と保持部材２５とに取り付けられる。または、プリント基板４は、保持部材２５と腕部２４の溝部２４１とに取り付けられる。プリント基板５は、腕部２３，２４の溝部２３１，２４１に挿入され、取り付けられる。
【００１２】
次に、前面カバー２の構成図を図３に示し説明する。（ａ）は正面図、（ｂ）は側面図、（ｃ）は背面図、（ｄ）は上面図である。
図３において、メイン基板３は、複数のコネクタ３１，３２、保持部材２５が貫通する複数の貫通穴３３を有し、前面カバー２の爪部２６，２７で固定されている。
【００１３】
次に、保持部材２５の拡大構成図を図４に示し説明する。
図４において、根元部材２５１は、上下に溝部２５２が形成される。保持腕部２５３，２５４は、根元部材２５１から二股状に分かれて形成され、それぞれ内側に異なる位置に突起部２５５，２５６が設けられる。
【００１４】
次に、プリント基板４の構成図を図５に示し説明する。なお、プリント基板５はプリント基板の大きさが異なるだけなので説明を省略する。
図５において、コネクタ４１は、プリント基板４の前側に設けられ、メイン基板３のコネクタ３１と電気的に接続する。複数の電極４２は、プリント基板４の後側に設けられ、ケース１の圧着端子に電気的に接続する。切欠部４３，４４は、それぞれ、プリント基板４の上側、下側に設けられる。突起部４５，４６は、それぞれ、切欠部４３，４４の前側に近接して設けられる。
【００１５】
このような装置の組立動作を以下に説明する。前面カバー２の保持部材２５を、メイン基板３の貫通穴３２に挿入させ、メイン基板３を前面カバー２に取り付け、爪部２６，２７により固定する。そして、プリント基板４を上側に挿入する場合、プリント基板４を後方から前面カバー２へ挿入し、腕部２３の溝部２３１と保持部材２５の上側の溝部２５２とに挿入し、コネクタ４１とメイン基板３のコネクタ３１と電気的に接続する。このとき、切欠部４３に突起部２５６が挿入され、切欠部４４に腕部２３の突起部（図示せず）が挿入される。また、プリント基板４を下側に挿入する場合、プリント基板４を後方から前面カバー２へ挿入し、保持部材２５の下側の溝部２５２と腕部２４の溝部２４１とに挿入し、コネクタ４１とメイン基板３のコネクタ３１と電気的に接続する。このとき、切欠部４３に腕部２４の突起部（図示せず）が挿入され、切欠部４４に突起部２５５が挿入される。そして、プリント基板５を挿入する場合、プリント基板５を後方から前面カバー２へ挿入し、腕部２３，２４の溝部２３１，２４１に挿入し、コネクタとメイン基板３のコネクタ３２と電気的に接続する。このとき、切欠部４３，４４に腕部２４，２３の突起部（図示せず）が挿入される。そして、前面カバー２をケース１に挿入し、図１の状態になる。
【００１６】
このように、メイン基板３の貫通穴３２を貫通する保持部材２５が、プリント基板４を保持するので、保持部材２５がメイン基板３への取り付けスペースを必要とせず、プリント基板４の実装の自由度を確保しつつ、小型化が図れる。
【００１７】
また、必要箇書にだけ、保持部材２５を設けられるので、プリント基板５を搭載することができ、プリント基板の自由度を得ることができる。
【００１８】
なお、本発明はこれに限定されるものではなく、図６に示されるように、前面カバー２に着脱自在に構成され、複数の導光穴２６１を介して、メイン基板３の複数のＬＥＤ素子の光を導く表示部材２６に保持部材２５を取り付ける構成でもよい。
【００１９】
また、腕部２３，２４は板状に形成される例を示したが、溝部２３１，２４１が形成される箇所のみを有する櫛状に形成してもよい。
【００２０】
また、保持部材２５は３つ形成する構成を示したが、少なくとも１つ形成する構成であればよい。
【００２１】
また、保持部材２５は、保持腕部２５３，２５４を設けた構成を示したが、メイン基板３のコネクタ３１にプリント基板４，５のコネクタを取り付ける構成ならば、保持腕部２５３，２５４がない構成でもよい。
【００２２】
また、メイン基板３のコネクタ３１，３２とプリント基板４，５のコネクタとにより、電気的に接続する構成を示したが、フレキシブルケーブル等により、メイン基板３とプリント基板４，５とを電気的に接続する構成でもよい。
【図面の簡単な説明】
【００２３】
【図１】本発明の一実施例を示した構成図である。
【図２】本発明の一実施例を示した構成図である。
【図３】前面カバー２の構成図である。
【図４】保持部材２５の拡大上面構成図である。
【図５】プリント基板４の構成図である。
【図６】本発明の他の実施例を示した構成図である。
【符号の説明】
【００２４】
１  ケース
２  前面カバー
２３，２４  腕部
２５  保持部材
２５２  溝部
３  メイン基板
３３  貫通穴
４，５  プリント基板
【図１】
2010147297.tif 000003
【図２】
2010147297.tif 000004
【図３】
2010147297.tif 000005
【図４】
2010147297.tif 000006
【図５】
2010147297.tif 000007
【図６】
2010147297.tif 000008